(57)【要約】【課題】間柱固定部２から水平方向に突き出したアーム部３の背面側に手や工具を入れることなく、配線用ボックス２０の前面側からアーム部３に対して配線用ボックス２０をネジ一つで簡単に固定することができるようにする。【解決手段】間柱固定部２から水平方向に突き出したアーム部３の背面に、係合爪４ａによってアーム部３を掴んでアーム部３に対してスライド可能に固定板４を装着し、この固定板４に、配線用ボックス２０の底壁２１に形成された水平位置にある一対の取付け孔２４の一方にアーム部３のスライド孔３ａを介して挿し込まれる係合突起４ｂと、配線用ボックス２０の他方の取付け孔２４からアーム部３のスライド孔３ａを介してネジ固定されるネジ固定部４ｃを設けた構造にする。【選択図】　図１
2004080961.tif 000002
【特許請求の範囲】
【請求項１】
間柱に固定される間柱固定部と、この間柱固定部から水平方向に突き出したアーム部とからなり、アーム部に水平方向にスライド孔を設けた配線用ボックス間柱固定金具において、アーム部の背面に、係合爪によってアーム部を掴んでアーム部に対してスライド可能に固定板を装着し、この固定板に、配線用ボックスの底壁に形成された水平位置にある一対の取付け孔の一方にアーム部のスライド孔を介して挿し込まれる係合突起と、配線用ボックスの他方の取付け孔からアーム部のスライド孔を介してネジ固定されるネジ固定部とを設けたことを特徴とする配線用ボックス間柱固定金具。
【請求項２】
上記アーム部背面に装着される固定板が合成樹脂製である請求項１記載の配線用ボックス間柱固定金具。
【発明の詳細な説明】
【０００１】
【発明の属する技術分野】
この発明は、アウトレットボックス等の配線用ボックスを、間柱に取付けるために使用する配線用ボックス間柱固定金具に関するものである。
【０００２】
【従来の技術】
従来、アウトレットボックス等の配線用ボックス間柱固定金具は、間柱に固定される間柱固定部と、この間柱固定部から水平方向に突き出したアーム部とからなり、アーム部に水平方向にスライド孔を設け、配線用ボックスの底壁に設けたボルト挿通孔とアーム部のスライド孔とにボルトを挿し入れてナットを締め付けることにより、配線用ボックスをアーム部に固定するようにしている。
【０００３】
上記配線用ボックス間柱固定金具は、アーム部に水平方向にスライド孔を設けているため、配線用ボックスをアーム部に固定するボルトとナットを緩めることにより、配線用ボックスをアーム部のスライド孔に沿って間柱の幅方向に移動させて、取付け位置の調整が可能である。
【０００４】
【発明が解決しようとする課題】
ところで、配線用ボックス間柱固定金具を間柱に固定した場合、施工場所によっては、間柱固定部から水平方向に突き出したアーム部と、その背面の建物の壁面との間に十分な隙間がなく、配線用ボックス間柱固定金具を間柱に固定した状態では、固定用のボルトやナットをアーム部とその背面の隙間に工具や手を挿し入れて締め付けるという作業が行い難いという問題があった。
【０００５】
そこで、この発明は、背面の建物の壁面との隙間がないような場合においても、間柱固定部から水平方向に突き出したアーム部の背面側に手や工具を入れることなく、配線用ボックスの前面側からアーム部に対して配線用ボックスをネジ一つで簡単に固定することができる配線用ボックス間柱固定金具を提供しようとするものである。
【０００６】
【課題を解決するための手段】
上記の課題を解決するために、この発明は、間柱に固定される間柱固定部と、この間柱固定部から水平方向に突き出したアーム部とからなり、アーム部に水平方向にスライド孔を設けた配線用ボックス間柱固定金具において、アーム部の背面に、係合爪によってアーム部を掴んでアーム部に対してスライド可能に固定板を装着し、この固定板に、配線用ボックスの底壁に形成された水平位置にある一対の取付け孔の一方にアーム部のスライド孔を介して挿し込まれる係合突起と、配線用ボックスの他方の取付け孔からアーム部のスライド孔を介してネジ固定されるネジ固定部を設けたものである。
【０００７】
上記構造の配線用ボックス間柱固定金具は、間柱固定部を間柱に固定した状態で、間柱固定部から水平方向に突き出したアーム部の背面と建物の壁面との間に十分な隙間がなくても、アーム部の背面に固定板が装着され、この固定板の係合突起がアーム部のスライド孔を介してアーム部の前面側に突き出ているため、配線用ボックスをアーム部の前面側から押し当てて、固定板の係合突起を配線用ボックスの一方の取付け孔に嵌め入れ、他方の取付け孔からスライド孔を介してアーム部の背面のネジ固定部にネジを締め付けると、アーム部が配線用ボックスの背面と固定板とによって挟持され、配線用ボックスがアーム部に対して回転不能に固定される。
【０００８】
このように、配線用ボックスのアーム部に対する固定作業は、配線用ボックスの水平位置にある一対の取付け孔の一方に、アーム部の背面に装着された固定板の係合突起が嵌まるようにしているため、一本の固定用のネジを配線用ボックスの前面側からアーム部の背面に装着された配線用ボックスの固定板に対してねじ込むだけよい。
【０００９】
また、上記アーム部の背面に装着される固定板を合成樹脂によって形成することにより、金属製のアーム部が、合成樹脂製の配線用ボックスと固定板とによって挟まれるため、配線用ボックスと間柱間の絶縁性が高くなる。
【００１０】
【発明の実施の形態】
以下、この発明に係る配線用ボックス間柱固定金具１の実施形態について説明する。
配線用ボックス２０は、合成樹脂によって形成され、四角形の底壁２１と、四つの側壁２２からなる。底壁２１と側壁２２には、電線挿通用のノックアウト孔２３が、底壁２１に４つ、各側壁２２に２つずつ形成されている。また、配線用ボックス２０の底壁２１には、直交する線上に、２対、即ちそれぞれ２つずつ取付け孔２４が計４つ形成されている。
【００１１】
この発明に係る配線用ボックス間柱固定金具１は、間柱１０に固定される間柱固定部２と、この間柱固定部２から水平方向に突き出したアーム部３とからなる。
【００１２】
間柱固定部２は、間柱１０の種類に応じて適宜の構造を選択することができ、例えば、図１〜図４に示す実施形態では、間柱固定部２として、軽量間柱１０の開口面の外側部１０ａを連結板２ａと挟持板２ｂとによって挟み、連結板２ａと挟持板２ｂとをボルト２ｃにより固定するものを使用している。また、軽量間柱１０の背面に取付けるような場合には、連結板２ａとボルト２ｃを使用しないで、連結板２ａを取り外して、間柱固定部２を軽量間柱１０の背面所定位置に当てて、挟持板２ｂに設けられたネジ孔２ｄにタッピングネジをねじ込み固定することも可能である。
【００１３】
アーム部３は、上記間柱固定部２の挟持板２ｂに対して直角に屈曲するように一体に形成され、水平方向にスライド孔３ａが形成されている。
【００１４】
このアーム部３の背面には、アーム部３に対してスライド可能に固定板４が装着されている。固定板４は、合成樹脂によって形成され、固定板４の上下辺の両端にアーム部３を掴む係合爪４ａが４つ形成されている。この４つの係合爪４ａは、図２に示すように、配線用ボックス２０をアーム部３に対して固定した状態で、配線用ボックス２０とアーム部３との間に隙間ができないように、底壁２１のノックアウト孔２３の凹部に位置するように形成されている。
【００１５】
上記固定板４の前面には、配線用ボックス２０の底壁２１に形成された水平位置にある一対の取付け孔２４の一方にアーム部３のスライド孔３ａを介して挿し込まれる係合突起４ｂを形成している。また、固定板４には、係合突起４ｂに並んで、配線用ボックス２０の他方の取付け孔２４からアーム部３のスライド孔３ａを介してネジ固定するためのネジ固定部４ｃを設けている。このネジ固定部４ｃには、小孔が形成されタッピングネジ１３を締め易くしている。
【００１６】
上記構造の配線用ボックス間柱固定金具１は、アーム部３の背面に固定板４を装着した状態で、次のようにして使用される。
【００１７】
まず、間柱固定部２を配線用ボックスの設置高さに合わせて、ボルト２ｃを回して間柱１０に固定する。この後、固定板４の係合突起４ｂが配線用ボックス２０の一方の取付け孔２４に嵌まるように、配線用ボックス２０をアーム部３の前面側から押し当てた状態で、配線用ボックス２０の他方の取付け孔２４からタッピングネジ１３をアーム部３のスライド孔３ａを介してアーム部３の背面のネジ固定部４ｃにねじ込む。そして、タッピングネジ１３を締め付け固定する前の状態において、配線用ボックス２０は、アーム部３のスライド孔３ａに沿って幅方向にスライド可能であるため、配線用ボックス２０の幅方向の位置決めを行った後、図２に示すように、タッピングネジ１３を締め付け固定する。
【００１８】
図２に示すように、タッピングネジ１３を締め付け固定した状態で、タッピングネジ１３はアーム部３のスライド孔３ａに接触しないように位置決めされている。したがって、固定板４を合成樹脂製にすることにより、仮に、配線用ボックス２０内において、タッピングネジ１３に電気的な接触があっても、固定板４によって絶縁が図られ、アーム部３から間柱１０に電気が流れるという事故を防止できる。
なお、図４において、符号１１は、建物の壁面を示している。
【００１９】
【発明の効果】
以上のように、この発明に係る配線用ボックス間柱固定金具によると、間柱にアーム部を固定した状態で、アーム部に対する配線用ボックスの取付け作業を、一本のネジを使用して、配線用ボックスの前面側から行うことができるので、作業性が極めてよい。
また、この発明に係る配線用ボックス間柱固定金具において、固定板を合成樹脂製にし、タッピングネジがアーム部のスライド孔に接触しないように位置決めすることにより、仮に、配線用ボックス内において、タッピングネジに電気的な接触があっても、固定板によって絶縁を図ることができるという効果がある。
【図面の簡単な説明】
【図１】この発明に係る配線用ボックス間柱固定金具の使用例の分解斜視図である。
【図２】図１の例の取付け状態を示す正面図である。
【図３】（ａ）は図２のＡ−Ａ線の部分断面図、（ｂ）は図２のＢ−Ｂ線の部分断面図である。
【図４】図２の取付け状態を示す横断平面図である。
【符号の説明】
１　配線用ボックス間柱固定金具
２　間柱固定部
２ａ　連結板
２ｂ　挟持板
２ｃ　ボルト
２ｄ　ネジ孔
３　アーム部
３ａ　スライド孔
４　固定板
４ａ　係合爪
４ｂ　係合突起
４ｃ　ネジ固定部
１０　間柱
１０ａ　外側部
１１　壁面
１３　タッピングネジ
２０　配線用ボックス
２１　底壁
２２　側壁
２３　ノックアウト孔
２４　取付け孔
【図１】
2004080961.tif 000003
【図２】
2004080961.tif 000004
【図３】
2004080961.tif 000005
【図４】
2004080961.tif 000006